(57)【要約】【課題】  表示部を筐体に対して回動させるための回動機構を設けつつ、撮像装置の大型化を来すことなく表示部の大型化を図る。【解決手段】  筐体の内部に配置された撮像素子と、撮影時に撮影者に把持される把持部とを備え、光軸に略直交する第１の回動軸が前記把持部内に配置され、前記撮像素子で撮像した画像が表示される表示部が前記第１の回動軸を中心に前記筐体に対して開閉自在に回動される。これにより、表示部を筐体に対して回動させるための回動機構を設けつつ、撮像装置の大型化を来すことなく表示部の大型化を図ることができる。【選択図】図２
2015186084.tif 000002
【特許請求の範囲】
【請求項１】
筐体の内部に配置された撮像素子と、
撮影時に撮影者に把持される把持部とを備え、
光軸に略直交する第１の回動軸が前記把持部内に配置され、
前記撮像素子で撮像した画像が表示される表示部が前記第１の回動軸を中心に前記筐体に対して開閉自在に回動される
撮像装置。
【請求項２】
前記筐体の前面にレンズ若しくはレンズマウント部が位置し、
前記筐体の前記前面とは反対に位置する後面に前記表示部を収納する収納部が設けられた
請求項１に記載の撮像装置。
【請求項３】
前記収納部には前記表示部の少なくとも一部が収納される収納凹部が形成された
請求項２に記載の撮像装置
【請求項４】
前記筐体の前面にレンズ若しくはレンズマウント部が位置し、
前記撮像素子の短手方向を重力の方向に略一致させて前記筐体を後方から見た場合に、前記把持部は前記レンズ若しくは前記レンズマウント部より右側に位置する
請求項１に記載の撮像装置。
【請求項５】
前記筐体の前面にレンズ若しくはレンズマウント部が位置し、
前記撮像素子の長手方向を重力の方向に略一致させて前記筐体を前記レンズの反対方向若しくは前記レンズマウント部の反対方向から見た場合に、前記把持部は前記レンズ若しくは前記レンズマウント部より上側に位置し、
前記表示部が撮影者側を向くように前記第１の回動軸を中心に回動させた場合に前記表示部が前記把持部より上側に位置する
請求項１に記載の撮像装置。
【請求項６】
前記筐体における上端部の右端部または左端部に撮影釦が位置する
請求項５に記載の撮像装置。
【請求項７】
前記第１の回動軸は、前記撮像素子の短手方向に略一致する
請求項１に記載の撮像装置。
【請求項８】
前記表示部は前記把持部に結合されるベース部と前記ベース部に前記第１の回動軸に直交する第２の回動軸を中心に回動自在に支持された表示本体部とを有し、
前記表示本体部は前記ベース部に重ねられた重畳位置と前記ベース部に前記第１の回動軸の軸方向において隣接して位置する展開位置との間で回動される
請求項１に記載の撮像装置。
【請求項９】
前記表示本体部は前記重畳位置において第１のスライド位置と第２のスライド位置の間で前記ベース部に対してスライド可能とされ、
前記第１のスライド位置において前記ベース部に対する前記表示本体部の回動が規制され、
前記第２のスライド位置において前記ベース部に対する前記表示本体部の回動が可能とされた
請求項８に記載の撮像装置。
【請求項１０】
前記ベース部には前記表示本体部に電力を供給するバッテリが着脱可能とされた
請求項８に記載の撮像装置。
【請求項１１】
前記把持部が前記表示部の開閉に伴って前記第１の回動軸を中心に回動する
請求項１に記載の撮像装置。
【請求項１２】
前記把持部に前記表示部が着脱可能に結合され前記撮像素子の撮像信号を前記表示部に送信する接続端子が設けられた
請求項１１に記載の撮像装置。
【請求項１３】
前記表示部は送信部を有し、
前記筐体は受信部を有し、
前記送信部は前記表示部が前記把持部から取り外された状態において前記受信部に対して撮影に関する制御信号の発信が可能とされた
請求項１２に記載の撮像装置。
【請求項１４】
前記表示本体部はタッチパネル式のディスプレイを有した
請求項８に記載の撮像装置。
【請求項１５】
前記把持部の光軸方向の厚みが前記筐体の光軸方向の厚みよりも厚くされた
請求項１に記載の撮像装置。
【請求項１６】
前記筐体の前面にレンズ若しくはレンズマウント部が位置し、
前記把持部は前記前面側にのみ膨出して位置する
請求項１に記載の撮像装置。
【請求項１７】
前記把持部は前記第１の回動軸を中心とする円筒形状をなす
請求項１に記載の撮像装置。
【請求項１８】
筐体の内部に配置された撮像素子と、
撮影時に撮影者に把持される把持部と、
前記撮像素子で撮像した画像が表示される表示部とを備え、
光軸に略直交する第１の回動軸が前記把持部内に配置され、
前記表示部が前記第１の回動軸を中心に前記筐体に対して開閉自在に回動される
撮像装置。
【発明の詳細な説明】
【技術分野】
【０００１】
本技術は、筐体に対して表示部が展開可能とされた撮像装置についての技術分野に関する。
【先行技術文献】
【特許文献】
【０００２】
【特許文献１】特開２０１３−２５４００７号公報
【背景技術】
【０００３】
撮像装置には、表示部を用いて撮像する際の撮影範囲の確認やピントの確認や撮影した画像の閲覧などを行うものがある。このような撮像装置では、上記の確認や閲覧を容易にするためにも、大型の表示部を用いることができるようにすることが好ましい。
また、撮像装置を用いて自分自身を撮影するために、被写体側から撮影範囲やピント等を確認したいという要望がある。これに対応するため、特許文献１に示すように、筐体に対して表示部が略１８０度回動する撮像装置がある。このような撮像装置では、自分自身を撮影する際に筐体に対して表示部を１８０度回動させることによって被写体側に表示部を向け、表示部に表示された自分自身の様子を確認しながら撮影範囲やピントの確認を行う。
【発明の概要】
【発明が解決しようとする課題】
【０００４】
表示部が筐体に対して回動する撮像装置の場合には、回動機構を設ける必要がある。ところが、回動機構が専用の機構として設けられていると、回動機構を設けるための専用のスペースが必要となり、表示部が小さくなってしまうという問題がある。
そこで、本技術は、表示部を筐体に対して回動させるための回動機構を設けつつ、撮像装置の大型化を来すことなく表示部の大型化を図ることを目的とする。
【課題を解決するための手段】
【０００５】
第１に、本技術に係る撮像装置は、筐体の内部に配置された撮像素子と、撮影時に撮影者に把持される把持部とを備え、光軸に略直交する第１の回動軸が前記把持部内に配置され、前記撮像素子で撮像した画像が表示される表示部が前記第１の回動軸を中心に前記筐体に対して開閉自在に回動されるものである。
これにより、把持部が回動機構を兼ねているため、表示部を開閉するための専用の回動機構を設ける必要がない。
【０００６】
第２に、上記した本技術に係る撮像装置においては、前記筐体の前面にレンズ若しくはレンズマウント部が位置し、前記筐体の前記前面とは反対に位置する後面に前記表示部を収納する収納部が設けられることが望ましい。
これにより、表示部が筐体に安定して保持される。
撮像装置。
【０００７】
第３に、上記した本技術に係る撮像装置においては、前記収納部には前記表示部の少なくとも一部が収納される収納凹部が形成されることが望ましい。
これにより、表示部の筐体からの突出量が小さくされる。
【０００８】
第４に、上記した本技術に係る撮像装置においては、前記筐体の前面にレンズ若しくはレンズマウント部が位置し、前記撮像素子の短手方向を重力の方向に略一致させて前記筐体を後方から見た場合に、前記把持部は前記レンズ若しくは前記レンズマウント部より右側に位置することが望ましい。
これにより、撮像装置を右手で把持する場合において、把持部が右手の掌で包み込まれる。
【０００９】
第５に、上記した本技術に係る撮像装置においては、前記筐体の前面にレンズ若しくはレンズマウント部が位置し、前記撮像素子の長手方向を重力の方向に略一致させて前記筐体を前記レンズの反対方向若しくは前記レンズマウント部の反対方向から見た場合に、前記把持部は前記レンズ若しくは前記レンズマウント部より上側に位置し、前記表示部が撮影者側を向くように前記第１の回動軸を中心に回動させた場合に前記表示部が前記把持部より上側に位置することが望ましい。
これにより、自分撮り撮影を行う場合において、把持部よりも上側に表示部が位置する。
【００１０】
第６に、上記した本技術に係る撮像装置においては、前記筐体における上端部の右端部または左端部に撮影釦が位置することが望ましい。
これにより、自分撮り撮影を行う場合において、把持した手の親指または人差し指で撮影釦を押下することが可能とされる。
【００１１】
第７に、上記した本技術に係る撮像装置においては、前記第１の回動軸は、前記撮像素子の短手方向に略一致することが望ましい。
これにより、撮像装置を縦長にした状態で撮影する場合に、表示部を第１の回動軸を中心に筐体に対して回動させることにより、表示部を筐体の垂直方向に隣接して位置させることができる。
【００１２】
第８に、上記した本技術に係る撮像装置においては、前記表示部は前記把持部に結合されるベース部と前記ベース部に前記第１の回動軸に直交する第２の回動軸を中心に回動自在に支持された表示本体部とを有し、前記表示本体部は前記ベース部に重ねられた重畳位置と前記ベース部に前記第１の回動軸の軸方向において隣接して位置する展開位置との間で回動されることが望ましい。
これにより、表示本体部の回動に伴い重畳位置と展開位置において表示部が異なる方向を向く。
【００１３】
第９に、上記した本技術に係る撮像装置においては、前記表示本体部は前記重畳位置において第１のスライド位置と第２のスライド位置の間で前記ベース部に対してスライド可能とされ、前記第１のスライド位置において前記ベース部に対する前記表示本体部の回動が規制され、前記第２のスライド位置において前記ベース部に対する前記表示本体部の回動が可能とされることが望ましい。
これにより、表示本体部はベース部に対するスライド位置に応じてベース部に対して回動可能または回動不能とされる。
【００１４】
第１０に、上記した本技術に係る撮像装置においては、前記ベース部には前記表示本体部に電力を供給するバッテリが着脱可能とされることが望ましい。
これにより、ベース部にバッテリが取り付けられた状態においてバッテリから表示本体部に電力が供給される。
【００１５】
第１１に、上記した本技術に係る撮像装置においては、前記把持部が前記表示部の開閉に伴って前記第１の回動軸を中心に回動することが望ましい。
これにより、筐体に回動する部分が設けられなくてよい。
【００１６】
第１２に、上記した本技術に係る撮像装置においては、前記把持部に前記表示部が着脱可能に結合され前記撮像素子の撮像信号を前記表示部に送信する接続端子が設けられることが望ましい。
これにより、把持部に表示部が取り付けられた状態において、表示部と装置本体の間でのデータの受渡しや電力の供給が可能とされる。
【００１７】
第１３に、上記した本技術に係る撮像装置においては、前記表示部は送信部を有し、前記筐体は受信部を有し、前記送信部は前記表示部が前記把持部から取り外された状態において前記受信部に対して撮影に関する制御信号の発信が可能とされることが望ましい。
これにより、表示部が装置本体から取り外された状態において、送信部から発信される制御信号が受信部によって受信可能とされる。
【００１８】
第１４に、上記した本技術に係る撮像装置においては、前記表示本体部はタッチパネル式のディスプレイを有することが望ましい。
これにより、表示部に釦などの操作子が不要とされる。
【００１９】
第１５に、上記した本技術に係る撮像装置においては、前記把持部の光軸方向の厚みが前記筐体の光軸方向の厚みよりも厚くされることが望ましい。
これにより、撮影時等において掌に把持部が密着されて把持部の良好な把持状態が確保される。
【００２０】
第１６に、上記した本技術に係る撮像装置においては、前記筐体の前面にレンズ若しくはレンズマウント部が位置し、前記把持部は前記前面側にのみ膨出して位置することが望ましい。
これにより、撮影時等において掌に把持部が密着されて把持部の良好な把持状態が確保される。
【００２１】
第１７に、上記した本技術に係る撮像装置においては、前記把持部は前記第１の回動軸を中心とする円筒形状をなすことが望ましい。
これにより、把持部が簡易な形状とされる。
【００２２】
本技術に係る撮像装置は、筐体の内部に配置された撮像素子と、撮影時に撮影者に把持される把持部と、前記撮像素子で撮像した画像が表示される表示部とを備え、光軸に略直交する第１の回動軸が前記把持部内に配置され、前記表示部が前記第１の回動軸を中心に前記筐体に対して開閉自在に回動されるものである。
これにより、把持部が回動機構を兼ねているため、表示部を開閉するための専用の回動機構を設ける必要がない。
【発明の効果】
【００２３】
本技術によれば、第１の回動軸を中心に回動自在に支持された把持部を有することにより、把持部が回動機構を兼ねるため、表示部を筐体に対して回動させるための回動機構を設けつつ、撮像装置の大型化を来すことなく表示部の大型化を図ることができる。
なお、ここに記載された効果は必ずしも限定されるものではなく、本開示中に記載されたいずれかの効果であってもよい。
【図面の簡単な説明】
【００２４】
【図１】本技術の実施の形態の撮像装置の斜視図及び正面図である。
【図２】表示部を装置本体に対して第１の回動軸を中心に回動させた状態を示す斜視図である。
【図３】筐体と把持部と表示部を示す分解斜視図である。
【図４】ベース部と表示本体部と連結部を分解し一部を拡大した状態で示す表示部の分解斜視図である。
【図５】表示本体部が第１のスライド位置にある状態と第２のスライド位置にある状態とを示す拡大断面図である。
【図６】表示部の収納状態と表示部が装置本体に対して第１の回動軸を中心に回動された状態とを断面で示す概略説明図である。
【図７】表示部の収納状態と回動状態とを断面で示す概略説明図である。
【図８】表示部の回動状態を示す正面図である。
【図９】表示部の収納状態を示す斜視図である。
【図１０】表示本体部が第１のスライド位置にある状態と第２のスライド位置にある状態とを示す拡大断面図である。
【図１１】表示本体部が展開位置にある状態を示す拡大断面図である。
【図１２】表示本体部が展開位置にある状態を示す斜視図である。
【図１３】表示本体部が展開位置にある状態を示す正面図である。
【図１４】図１５乃至図２０と共に第２の実施の形態における撮像装置を示すものであり、本図は表示部の分解斜視図である。
【図１５】表示部を別の方向からみた状態で示す分解斜視図である。
【図１６】連結部がベース部のスライド凹部に挿入された状態を示す表示部の分解斜視図である。
【図１７】表示部の斜視図である。
【図１８】表示本体部が第１のスライド位置にある状態を示す拡大断面図である。
【図１９】表示本体部が第２のスライド位置にある状態を示す拡大断面図である。
【図２０】表示本体部が展開位置にある状態を示す拡大断面図である。
【図２１】把持部の前後の幅が筐体の前後の幅よりも大きくされた撮像装置の二例を示す概略図である。
【図２２】表示部を撮像装置の三脚として使用した様子を示す概略図である。
【発明を実施するための形態】
【００２５】
以下、実施の形態を添付図面を参照しながら次の順序で説明する。
＜１．撮像装置の構成＞
＜２．撮像装置の動作＞
［２−１．第１の回動軸を中心とした回動］
［２−２．第２の回動軸を中心とした回動］
＜３．第２の実施の形態＞
＜４．変形例＞
＜５．まとめ＞
［他の実施例］
［本技術］
【００２６】
尚、以下の説明にあっては、撮像装置において撮影釦が配置された面側を上面側として上下を表す。また、特筆しない限り、撮影者側（ディスプレイ側）からみて左右及び前後を表す。即ち、前方とは被写体側を表し、後方とは撮影者側を表す。但し、これらの方向は以下の説明における便宜上のものであり、本技術の実施にあたってはこれらの方向に限定されることはない。
【００２７】
＜１．撮像装置の構成＞
本実施の形態に係る撮像装置１は、図１及び図２に示すように、内外に所要の各部が配置された横長の装置本体２と装置本体２に対して着脱可能な表示部３とを備えて成る。
尚、以下の説明では、特筆しない限り、表示部３を装置本体２に収納した状態で左右及び上下の方向を記載する。
装置本体２は、略直方体状に形成された筐体４と略円筒形状に形成された把持部５とを有している。把持部５が略円筒形状のような簡素な形状とされることにより、部品を容易に形成することができる。
【００２８】
筐体４は、図３に示すように、天面部４ａ及び底面部４ｂの各右端部が天面部４ａと底面部４ｂの間の部分よりも右方に突出した形状とされている。天面部４ａの右方に突出した部分の下面側と底面部４ｂの右方に突出した部分の上面側にはそれぞれ円柱形状の支持突部４ｃが設けられている。
把持部５の上端部及び下端部にはそれぞれ円柱形状の被支持凹部５ａが形成されている。筐体４の天面部４ａに設けられた支持突部４ｃが把持部５の上端部に形成された被支持凹部５ａに挿入され、筐体４の底面部４ｂに設けられた支持突部４ｃが把持部５の下端部に形成された被支持凹部５ａに挿入される。これにより、把持部５は筐体４に上下方向に延びる第１の回動軸Ｘを中心に回動自在に支持されている。第１の回動軸Ｘは、光軸、即ち、撮像装置１に設けられた図示しないレンズ群の前後方向に延びる軸に直交し、天面部４ａと底面部４ｂに設けられた支持突部４ｃ、４ｃの各中心を結んだ直線とされる（図１及び図２参照）。
【００２９】
尚、筐体４に設けられた支持突部４ｃと把持部５に設けられた被支持凹部５ａは、凸と凹が逆になっていてもよい。即ち、少なくとも一方が突部とされ、他方が凹部とされていればよい。
【００３０】
把持部５の外周面の一部には、図３に示すように、上下方向に延び左方及び上下に開口された係合凹部５ｂが形成されている。係合凹部５ｂには、表示部３の右端部が配置され、表示部３の後述する端子部と接続される接続端子６が設けられている。
【００３１】
表示部３は、図４に示すように、略矩形の平板状に形成されたベース部７と、ベース部７と略同じ形状及び大きさとされベース部７に連結された表示本体部８と、ベース部７と表示本体部８を連結する連結部９とを有している。
【００３２】
ベース部７の右側部には把持部５の接続端子６と接続される端子部１０が設けられている。また、ベース部７の上端部には左右に延びる軸配置溝７ａが形成されている。ベース部７にはそれぞれ軸配置溝７ａの左右の側壁に開口された軸受孔７ｂが形成されている。
【００３３】
表示本体部８は、表面上における外部からの操作位置を検出可能なタッチパネル式のディスプレイ８ａを片面に有している。また、表示本体部８は、ディスプレイ８ａが配置されている反対の面の上側略半分の部分に、略矩形のスライド凹部８ｂが形成されている。
タッチパネル式のディスプレイ８ａが用いられることにより、釦などの操作子が不要となるため、画面の大型化を図ることが可能となる。
【００３４】
連結部９は、略矩形の平板状に形成された被スライド部９ａと被スライド部９ａの上端に連続し半円弧形状に形成された軸保持部９ｂと軸保持部９ｂの左右両端部から側方へ突出された円柱形状の軸部９ｃ、９ｃとを有している。軸部９ｃ、９ｃの各中心を結ぶ直線は、第１の回動軸Ｘに直交する第２の回動軸Ｙとされる。
【００３５】
連結部９の軸保持部９ｂは、図４に示すように、ベース部７の軸配置溝７ａに挿入され、軸部９ｃ、９ｃはそれぞれ軸受孔７ｂ、７ｂに挿入される。従って、連結部９はベース部７に対して軸部９ｃ、９ｃ（第２の回動軸Ｙ）を支点として回動可能とされる。
また、連結部９の被スライド部９ａは、表示本体部８のスライド凹部８ｂに挿入される。従って、表示本体部８は被スライド部９ａに対して上下方向へスライド可能とされ、ベース部７に対してもスライド可能とされる。このとき、表示本体部８は被スライド部９ａに対して上方にスライドされた位置が第１のスライド位置とされ（図５Ａ参照）、被スライド部９ａに対して下方にスライドされた位置が第２のスライド位置とされる（図５Ｂ参照）。
表示本体部８が第１のスライド位置にあるときには連結部９のベース部７に対する回動が規制され、表示本体部８が第２のスライド位置にあるときには連結部９のベース部７に対する回動が可能とされる。
【００３６】
これにより、図６に示すように、表示部３は把持部５の回動に伴って回動されて装置本体２に対して開閉される。
また、表示本体部８は連結部９の第２の回動軸Ｙを中心とした回動に伴ってベース部７に対して回動される。
【００３７】
図１及び図２に示すように、接続端子６と端子部１０が接続されることにより、ディスプレイ８ａの表示に必要な情報や、タッチパネル上の外部からの接触位置情報などの受渡しや、ディスプレイ８ａに画像を表示するために必要な電力の供給が可能とされる。
【００３８】
ベース部７には、図２に示すように、表示部３を装置本体２から外した状態で動作させるための電力を供給するバッテリ１１が着脱可能とされている。
表示部３に搭載されたバッテリ１１は、ディスプレイ８ａに電力を供給する補助バッテリとして用いることができるため、長時間のディスプレイ８ａの駆動を行うことができる。また、装置本体２からの電力供給を行わなくても表示部３が使用可能とされるため、表示部３を装置本体２から取り外して使用する場合に好適とされる。
【００３９】
表示本体部８には、図示しない加速度センサが内部に設けられ、加速度センサからの信号がディスプレイ８ａに表示される文字や画像の向きを決定するために用いられる。つまり、ディスプレイ８ａの姿勢や向く方向に合わせて、表示される画像や文字の向きが適応するようにされている。
【００４０】
表示部３には、図２に示すように、少なくとも撮影に関する制御信号を送信可能な送信部１２が設けられ、装置本体２には送信部１２から発信される制御信号を受信可能な受信部１３が設けられている。送信部１２は、表示部３が装置本体２から外された状態において、上記制御信号の送信が可能とされる。これにより、例えば、表示部３を装置本体２から外した状態で撮像装置１を遠隔操作することにより、写真や動画の撮影が可能とされる。
上述したように、表示部３が装置本体２に対して着脱可能とされ、更に、表示部３の送信部１２から発信される送信信号を装置本体２の受信部１３が受信可能とされることにより、装置本体２から離れた位置において表示部３を用いた遠隔操作を行うことが可能とされる。
【００４１】
筐体４の内部には、図１に示すように、被写体の光学像を電気信号に変換する撮像素子１４や図示しない光学部品や電子部品などがそれぞれ所定の各位置に配置されている。
筐体４の前面部には、レンズマウント部４ｄが設けられ、レンズマウント部４ｄの略中央には円形の光通過孔１５が形成されている。レンズマウント部４ｄには、光通過孔１５を前面から覆うようにレンズ１６が配置されている。レンズ１６は、凸レンズや凹レンズを組み合わせたズームレンズや広角レンズや望遠レンズなどから構成され、前端部には撮像レンズ１６ａが設けられている。
尚、筐体４にレンズマウント部４ｄが設けられずにレンズ１６が配置されていてもよい。
撮像素子１４は、撮像装置１を前面からみたときに光通過孔１５の内側に位置するように配置されている。尚、レンズ１６は、交換式のものであってもよいし、筐体２と一体に設けられるものであってもよい。
筐体４の天面部４ａには、撮影釦１７や各種の操作子１８、１８、・・・が配置されている。操作子１８、１８、・・・としては、例えば、電源釦、撮影釦、ズームスイッチ、撮影モード切替摘子などが設けられている。
【００４２】
筐体４の後面部には、収納部１９が設けられている。収納部１９には、図２及び図３に示すように、後方に開口され表示部３のベース部７と略同じ形状及び大きさにされた収納凹部１９ａが形成されている。
筐体４の後面部に収納部１９が設けられることにより、表示部３が筐体４に安定して保持される。
更に、収納部１９に収納凹部１９ａが設けられ、収納凹部１９ａに表示部３の少なくとも一部、例えば、ベース部７が挿入されることにより、表示部３の後方への突出量が小さくされ、撮像装置１の小型化を図ることができる（図１参照）。
尚、収納凹部１９ａは、表示部３のベース部７だけでなく表示本体部８も挿入することが可能な深さとなるように形成されていてもよい。この場合には、表示部３を収納凹部１９ａから引き出しやすくするための切り欠きなどが収納凹部１９ａの側壁に形成されることが望ましい。これにより、表示部３が筐体４から後方に突出されず、撮像装置１の更なる小型化を図ることができる。
表示部３の表示本体部８は、ベース部７に重ねられた位置が重畳位置とされ、ベース部７に対して第１の回動軸Ｘの軸方向において隣接した位置が展開位置とされる。
また、表示部３は、ベース部７が収納凹部１９ａに挿入され表示本体部８が重畳位置にある状態が収納状態とされ、装置本体２に対して第１の回動軸Ｘを中心に略１８０度回動された状態が回動状態とされる。
【００４３】
＜２．撮像装置の動作＞
次に、撮像装置１の動作について説明する。
［２−１．第１の回動軸を中心とした回動］
先ずは表示部３の第１の回動軸Ｘを中心とした回動について、図７を参照しながら説明する。
【００４４】
表示部３を装置本体２に対して回動する場合には、先ず、図７Ａのように収納状態において、装置本体２の後方に突出した表示部３の表示本体部８を把持する。次に、把持した表示本体部８を収納凹部１９ａから後方に引き出して表示部３の装置本体２に対する第１の回動軸Ｘを中心とした回動を開始する。これにより、表示部３は筐体４に対して把持部５と一体になって第１の回動軸Ｘを中心に回動される。
表示部３は、図７Ｂに示すように、第１の回動軸Ｘを中心に略１８０度回動された状態（回動状態）において装置本体２の右端部に接して回動が規制される。
【００４５】
表示部３が回動状態まで回動されることにより、ディスプレイ８ａが被写体側を向く（図８参照）。従って、ディスプレイ８ａと撮像レンズ１６ａが同じ方向を向くため、表示部３の回動状態は自分撮り撮影に適する。特に、図８に示すように、装置本体２を縦長にした状態で自分撮り撮影を行う場合には、ディスプレイ８ａと撮像レンズ１６ａが上下に並んだ状態で同じ方向を向くため、ディスプレイ８ａに表示された画像における自分自身の位置を把握しやすく、画像内における自分自身の位置調整を容易に行うことができる。
また、図８に示すように、把持部５が筐体４の上側に位置し、表示部３が把持部５の更に上側に位置するため、撮影時の筐体４の把持状態の安定化を図ることができる。
更に、図８に示すように、筐体４の上端部の右端部に撮影釦１７が位置することにより、撮影者の指による撮影釦１７の押下が容易とされる。尚、筐体４の上端部の左端部に撮影釦１７が位置していてもよい。
【００４６】
［２−２．第２の回動軸を中心とした回動］
続いて、表示部３の表示本体部８の第２の回動軸Ｙを中心とした回動について、図９乃至図１１を参照しながら説明する。
【００４７】
ここでは、表示部３の収納状態（図９参照）において、表示本体部８を第２の回動軸Ｙを中心に回動する場合を説明する。この状態においては、図１０Ａに示すように、ベース部７の上端部７ｘと表示本体部８の上端部８ｘとが当接しているため、表示本体部８のベース部７に対する第２の回動軸Ｙを中心とした回動が規制されている。
表示本体部８の第２の回動軸Ｙを中心とした回動に際しては、先ず、図１０Ｂに示すように、表示本体部８をベース部７に対して下方にスライドさせる。このとき、連結部９は軸部９ｃがベース部７に支持されているためベース部７に対して移動されず、表示本体部８のスライド凹部８ｂ内における連結部９の被スライド部９ａの可動範囲内において、表示本体部８がベース部７に対して下方にスライドされる。即ち、表示本体部８は第１のスライド位置（図１０Ａ）から第２のスライド位置（図１０Ｂ）に移動される。
表示本体部８が第２のスライド位置にスライドされた状態においては、ベース部７の上端部７ｘと表示本体部８の上端部８ｘとの当接状態が解消され、表示本体部８の上端部８ｘが軸部９ｃよりも下方に位置する。従って、第２のスライド位置においては、表示本体部８のベース部７に対する回動が可能とされる。このとき、表示本体部８の上端部８ｘが軸部９ｃに対して一定以上離隔して下方に位置するため、第２の回動軸Ｙを中心とした回動を行う際に、ベース部７の上端部７ｘと表示本体部８の上端部８ｘが干渉しないようにされる。
このように、表示本体部８がベース部７に対して第２のスライド位置にスライドされたときに回動が可能とされることで、表示本体部８の上端部８ｘとベース部７の上端部７ｘとが干渉しないため、表示本体部８とベース部７が回動時に接触せず、表示本体部８及びベース部７の傷付きが防止される。
また、収納状態においてベース部７の上端部７ｘと表示本体部８の上端部８ｘとが当接し、表示本体部８のベース部７に対する回動が規制されることにより、表示本体部８のベース部７に対するがたつきが防止され、収納状態において撮影が行われるときのディスプレイ８ａに対する良好な視認性及び撮像装置１の使い勝手の向上を図ることができる。
【００４８】
次に、図１０Ｂに示す表示本体部８が第２のスライド位置にある状態から表示本体部８の回動を開始する。尚、図１０Ｂの矢印は、第２の回動軸Ｙを中心とした回動による表示本体部８の回動方向を表している。
【００４９】
表示本体部８をベース部７に対して第２の回動軸Ｙの軸回り方向（図１０Ｂに示す矢印の方向）に略１８０度展開位置まで回動させた状態を図１１及び図１２に示す。
【００５０】
表示本体部８がベース部７に対して略１８０度展開位置まで回動されることにより、ディスプレイ８ａが被写体側を向くため、表示部３の展開位置は自分撮り撮影に適する。特に、図１３に示すように、装置本体２を横長にした状態で自分撮り撮影を行う場合には、ディスプレイ８ａと撮像レンズ１６ａが上下に並んだ状態で同じ方向を向くため、ディスプレイ８ａに表示された画像における自分自身の位置を把握しやすく、画像内における自分自身の位置調整を容易に行うことができる。
尚、表示本体部８がベース部７に対して回動する場合には、表示本体部８はベース部７の上端面に接触することにより、略１８０度以上の回動が規制される。
【００５１】
＜３．第２の実施の形態＞
次に、第２の実施の形態における撮像装置１Ａについて説明する（図１４乃至図２０参照）。
第２の実施の形態における撮像装置１Ａにおいては、表示部の表示本体部にベース部と連結部が挿入される凹部が形成されている。
第２の実施の形態の説明において、第１の実施の形態と同じ部分に関しては同じ番号を付した上で説明を省略し、異なる部分に関する説明を中心に行う。
尚、以下の説明にあっては、特筆しない限り、表示部を装置本体に対していずれの方向にも回動させていない状態において上下方向及び左右方向を記載する。
【００５２】
本実施の形態における撮像装置１Ａの表示部３Ａは、図１４乃至図１７に示すように、ベース部７Ａと表示本体部８Ａと連結部９を備えている。
ベース部７Ａは、略矩形の平板状に形成され、後面には後方及び上方に開口されたスライド凹部７ｃが形成されている。また、ベース部７Ａの右端部には上端から下端に亘って前方に突出された被保持部７ｄが設けられている。被保持部７ｄは、把持部５の係合凹部５ｂに係合されて支持される。
表示本体部８Ａは、ベース部７Ａよりも大きな略矩形の平板状に形成され、前面にディスプレイ８ａを備え、後面にベース部７Ａと連結部９が挿入され後方に開口された収容凹部８ｃが形成されている。また、収容凹部８ｃの上端部における左右の側壁には、それぞれ軸保持部８ｄが形成されている。
連結部９は、略矩形の平板状に形成された被スライド部９ａと、被スライド部９ａの上端部の両側から側方に突出された円柱形状の軸部９ｃ、９ｃとを有している。
【００５３】
ベース部７Ａのスライド凹部７ｃには、図１６に示すように、連結部９の被スライド部９ａの上端部以外の部分が挿入される。このとき、被スライド部９ａはスライド凹部７ｃに支持された状態で上下にスライド可能とされる。被スライド部９ａは、下端部がスライド凹部７ｃの下側の壁部に接することによりそれ以上の下方へのスライドが規制される。  表示本体部８Ａの収容凹部８ｃには、図１７に示すように、被スライド部９ａがスライド凹部７ｃに挿入された状態でベース部７Ａと連結部９が挿入される。また、表示本体部８Ａの軸保持部８ｄ、８ｄに連結部９の軸部９ｃ、９ｃがそれぞれ支持される。軸部９ｃ、９ｃの各中心を結んだ直線は、第２の回動軸Ｙとされる。
【００５４】
表示本体部８Ａは、連結部９に対して第２の回動軸Ｙを中心とした回動が可能とされる。従って、連結部９の被スライド部９ａがベース部７Ａのスライド凹部７ｃに挿入された状態において、表示本体部８Ａはベース部７Ａに対して第２の回動軸Ｙを中心とした回動が可能とされる。
【００５５】
表示本体部８Ａは、図１８及び図１９に示すように、ベース部７Ａに対する連結部９のスライドに伴ってベース部７Ａに対して上下にスライド可能とされる。このとき、表示本体部８Ａは、ベース部７Ａに対して下方にスライドされた位置が第１のスライド位置とされ、上方にスライドされた位置が第２のスライド位置とされる。表示本体部８Ａが第２のスライド位置にある状態においては、表示本体部８Ａの収容凹部８ｃの下側の壁部８ｅとベース部７Ａの下端面７ｅが接触することにより、表示本体部８Ａのベース部７Ａに対するそれ以上の上方へのスライドが規制される。
【００５６】
表示本体部８Ａが第１のスライド位置にある場合には、表示本体部８Ａの上端部８ｘと筐体４の天面部４ａとが当接されているため、表示本体部８Ａのベース部７Ａに対する第２の回動軸Ｙを中心とした回動が規制されている。
表示本体部８Ａが第２のスライド位置にスライドされた状態においては、表示本体部８Ａの上端部８ｘと筐体４の天面部４ａとの当接状態が解除され、また、筐体４の天面部４ａが軸部９ｃよりも下方に位置する。従って、表示本体部８Ａは、図１９及び図２０に示すように、連結部９に対する第２の回動軸Ｙを中心とした回動に伴ってベース部７Ａに対して回動される。このとき、表示本体部８Ａは、筐体４の天面部４ａに接触することにより、略１８０度以上の第２の回動軸Ｙを中心とした回動が規制される。
【００５７】
尚、撮像装置１Ａにおける装置本体２の把持部５の外周面には、第１の実施の形態における撮像装置１と同様に、ベース部７Ａの右端部が配置される係合凹部５ｂが形成されている。
従って、第１の実施の形態と同じように、把持部５の第１の回動軸Ｘを中心とした回動に伴って、表示部３Ａは装置本体２に対して開閉される。
【００５８】
＜４．変形例＞
上記した各実施の形態においては、撮像装置１（１Ａ）の筐体４の前後方向の厚みと把持部５の前後方向の厚み（即ち直径）とが略同じ大きさとされていたが、図２１Ａに示すように、把持部５の前後方向の厚みを筐体４の前後方向の厚みよりも厚くしてもよい。
これにより、撮影時等において掌に把持部５が密着されて把持部５の良好な把持状態が確保され、撮像装置１（１Ａ）の使い勝手の向上を図ることができる。
また、把持部５の前後方向の厚みを筐体４の前後方向の厚みよりも厚くする場合に、把持部５は前面側にのみ筐体４よりも膨出され、把持部５の後面側は筐体４の後面側と連続した略平らな面を構成してもよい（図２１Ｂ参照）。これにより、把持部５は撮影時において指が包み込む部分のみ膨出されるため、小型化を確保した上で、より良好な把持状態が確保されて撮像装置１（１Ａ）の使い勝手の向上を図ることができる。
【００５９】
また、上述した実施の形態においては、表示部３（３Ａ）を装置本体２に対して第１の回動軸Ｘを中心に回動させる場合に、把持部５の全体が筐体４に対して回動される例を示したが、把持部５の一部分のみが筐体４に対して回動されてもよい。
例えば、把持部５がともに同じ直径に形成され第１の回動軸Ｘの軸方向に連設された円筒状または円柱状の三つの部材から成り、真ん中に位置する部材が筐体４に対して固定され、上端部及び下端部に位置する二つの部材が筐体４に対して回動可能とされ、表示部３（３Ａ）が上下に位置する二つの部材に連結された構成にすることが可能である。
これにより、把持部５の三つの部材のうちの上下に位置する二つの部材の筐体４に対する回動に伴って、表示部３（３Ａ）が装置本体２に対して回動可能とされる。
従って、撮像装置１（１Ａ）の撮影時等に把持する部分となる把持部５をできる限り回動させずに、表示部３の第１の回動軸Ｘを中心とした回動が可能とされる。
【００６０】
更に、上記には、表示部３（３Ａ）が、把持部５に対して着脱可能にされた説明を示したが、表示部３（３Ａ）が把持部５に連結され表示部３（３Ａ）が把持部５から取り外し不能とされていてもよい。その場合には、表示部３（３Ａ）に補助用のバッテリ１１を搭載する必要がなくなるため、表示部３（３Ａ）や撮像装置１（１Ａ）の小型化を図ることができる。
【００６１】
更にまた、上記には、表示部３（３Ａ）が一つのディスプレイ８ａを有している例を示したが、複数のディスプレイ８ａ、８ａ、・・・を有していてもよい。例えば、表示本体部８（８Ａ）の両面にディスプレイ８ａ、８ａが設けられていてもよい。
これにより、表示本体部８（８Ａ）を装置本体２に対して回動させた場合において、撮影者側と被写体側の双方からそれぞれのディスプレイ８ａが視認可能とされるため、使い勝手のよい撮像装置を提供することができる。
【００６２】
更に、表示部３（３Ａ）が把持部５に対して着脱可能な場合には、例えば、ベース部７（７Ａ）の片面にキーボードなどの操作子が設けられていてもよい。これにより、大型のディスプレイ８ａを搭載しつつ操作性の向上を図ることができる。
【００６３】
また、装置本体２から取り外した表示部３（３Ａ）を三脚代わりに使用できるようにしてもよい。例えば、図２２に示すように、ベース部７（７Ａ）と表示本体部８（８Ａ）とを有した表示部３（３Ａ)を装置本体２から取り外し、ベース部７（７Ａ）と表示本体部８（８Ａ）を適度な角度に開いた状態でテーブル等の載置面に載置し、表示部３（３Ａ)上に装置本体２を連結してもよい。
装置本体２と表示部３（３Ａ)の連結には、例えば、表示部３（３Ａ)の連結部９に凸部を設け、装置本体２には凸部に嵌合する凹部を形成し、これらの凸部と凹部を結合することにより行ってもよいし、連結部９と装置本体２の双方に凹部を形成し、それらの凹部を結合する結合部材を他に設けることにより行ってもよい。
尚、この場合には、表示部３（３Ａ）は、ベース部７（７Ａ）と表示本体部８（８Ａ）が適度な角度に開いた状態で保持される機構が設けられることが望ましい。
【００６４】
＜５．まとめ＞
上述したように、各実施の形態及び各変形例において説明した撮像装置１（１Ａ）は、第１の回動軸Ｘを中心に回動自在に支持された把持部５を有しており、表示部３（３Ａ）は把持部５の回動に伴って装置本体２に対して開閉される。従って、把持部５が回動機構を兼ねているため、表示部３（３Ａ）を開閉するための専用の回動機構を設ける必要がなく、撮像装置１（１Ａ）の大型化を来すことなくディスプレイ８ａの大型化を図ることができる。
これにより、撮影時における表示部３（３Ａ）に対する視認性が向上し、撮像装置１（１Ａ）の使い勝手の向上を図ることができる。
【００６５】
また、上述した撮像装置１（１Ａ）においては、表示部３（３Ａ）が装置本体２に対して第１の回動軸Ｘを中心とした回動と第２の回動軸Ｙを中心とした回動が可能とされる。
従って、自分撮り撮影を行う場合に、装置本体２を横長の状態で使用する場合と縦長の状態で使用する場合の双方の使用状態において、ディスプレイ８ａと撮像レンズ１６ａが上下に並んだ状態で略同じ方向を向くため、撮影範囲や自分自身の位置を把握しやすく撮影時における使い勝手の向上を図ることができる。
【００６６】
また、表示部３（３Ａ）が把持部５に対して着脱可能とされている場合に、ディスプレイ８ａに表示された画像などを装置本体２から離れた位置で確認することが可能となる。
これにより、装置本体２から離れた場所で被写体となっている人が、装置本体２から取り外したディスプレイ８ａを用いて自分自身の写り方などを確認することができ、使い勝手のよい撮像装置１（１Ａ）を提供することができる。
【００６７】
また、表示部３（３Ａ）が着脱可能な構成においては、装置本体２のみにおって撮像装置１（１Ａ）が構成されていてもよい。その場合には、例えば、装置本体２から成る撮像装置１（１Ａ）に取り付けられる表示部３（３Ａ）として、ディスプレイを備えた携帯電話などの別の電子機器が用いられてもよい。
【００６８】
尚、本明細書に記載された効果はあくまでも例示であって限定されるものではなく、また他の効果があってもよい。
【００６９】
［他の実施例］
撮像装置の他の実施例として、以下のような構成も採ることができる。
（１）
被写体の光学像を電気信号に変換する撮像素子が内部に配置された筐体と前記筐体に光軸に直交する第１の回動軸の軸回り方向に回動自在に支持された把持部とを有する装置本体と、
画像が表示されるディスプレイを有する表示部とを備え、
前記表示部は前記把持部の回動に伴って前記装置本体に対して開閉される
撮像装置。
（２）
前記筐体に前記表示部の少なくとも一部を収納するための収納凹部が形成された
（１）に記載の撮像装置
（３）
前記表示部はベース部と前記ベース部に前記第１の回動軸に直交する第２の回動軸の軸回り方向に回動自在に支持された表示本体部とを有し、
前記表示本体部は前記ベース部に重ねられた重畳位置と前記ベース部に前記第１の回動軸の軸方向ににおいて隣接して位置する展開位置との間で回動される
（１）に記載の撮像装置。
（４）
前記表示本体部は前記重畳位置において第１のスライド位置と第２のスライド位置の間で前記ベース部に対してスライド可能とされ、
前記第１のスライド位置において前記ベース部に対する前記表示本体部の回動が規制され、
前記第２のスライド位置において前記ベース部に対する前記表示本体部の回動が可能とされた
（３）に記載の撮像装置。
（５）
前記ベース部には前記表示本体部に電力を供給するためのバッテリが着脱可能とされた
（３）に記載の撮像装置。
（６）
前記表示部は端子部を有し前記把持部に対して着脱可能とされ、
前記把持部に前記端子部と接続される接続端子が設けられた
（１）に記載の撮像装置。
（７）
前記表示部は送信部を有し、
前記装置本体は受信部を有し、
前記送信部は前記表示部が前記装置本体から取り外された状態において前記受信部に対して撮影に関する制御信号の発信が可能とされた
（６）に記載の撮像装置。
（８）
前記表示本体部はタッチパネル式のディスプレイを有した
（３）に記載の撮像装置。
（９）
前記把持部の光軸方向の厚みが前記筐体の光軸方向の厚みよりも厚くされた
（１）に記載の撮像装置。
（１０）
被写体の光学像を電気信号に変換する撮像素子が内部に配置された筐体と、
画像が表示されるディスプレイを有する表示部に設けられた端子部と接続される接続端子が設けられた把持部とを備え、
前記把持部が前記筐体に光軸に直交する第１の回動軸の軸回り方向に回動自在に支持された
撮像装置。
【００７０】
［本技術］
本技術は以下のような構成も採ることができる。
（１）
筐体の内部に配置された撮像素子と、
撮影時に撮影者に把持される把持部とを備え、
光軸に略直交する第１の回動軸が前記把持部内に配置され、
前記撮像素子で撮像した画像が表示される表示部が前記第１の回動軸を中心に前記筐体に対して開閉自在に回動される
撮像装置。
（２）
前記筐体の前面にレンズ若しくはレンズマウント部が位置し、
前記筐体の前記前面とは反対に位置する後面に前記表示部を収納する収納部が設けられた
（１）に記載の撮像装置。
（３）
前記収納部には前記表示部の少なくとも一部が収納される収納凹部が形成された
（２）に記載の撮像装置
（４）
前記筐体の前面にレンズ若しくはレンズマウント部が位置し、
前記撮像素子の短手方向を重力の方向に略一致させて前記筐体を後方から見た場合に、前記把持部は前記レンズ若しくは前記レンズマウント部より右側に位置する
（１）乃至（３）のいずれかに記載の撮像装置。
（５）
前記筐体の前面にレンズ若しくはレンズマウント部が位置し、
前記撮像素子の長手方向を重力の方向に略一致させて前記筐体を前記レンズの反対方向若しくは前記レンズマウント部の反対方向から見た場合に、前記把持部は前記レンズ若しくは前記レンズマウント部より上側に位置し、
前記表示部が撮影者側を向くように前記第１の回動軸を中心に回動させた場合に前記表示部が前記把持部より上側に位置する
（１）乃至（４）のいずれかに記載の撮像装置。
（６）
前記筐体における上端部の右端部または左端部に撮影釦が位置する
（５）に記載の撮像装置。
（７）
前記第１の回動軸は、前記撮像素子の短手方向に略一致する
（１）乃至（６）のいずれかに記載の撮像装置。
（８）
前記表示部は前記把持部に結合されるベース部と前記ベース部に前記第１の回動軸に直交する第２の回動軸を中心に回動自在に支持された表示本体部とを有し、
前記表示本体部は前記ベース部に重ねられた重畳位置と前記ベース部に前記第１の回動軸の軸方向において隣接して位置する展開位置との間で回動される
（１）乃至（７）のいずれかに記載の撮像装置。
（９）
前記表示本体部は前記重畳位置において第１のスライド位置と第２のスライド位置の間で前記ベース部に対してスライド可能とされ、
前記第１のスライド位置において前記ベース部に対する前記表示本体部の回動が規制され、
前記第２のスライド位置において前記ベース部に対する前記表示本体部の回動が可能とされた
（８）に記載の撮像装置。
（１０）
前記ベース部には前記表示本体部に電力を供給するバッテリが着脱可能とされた
（８）または（９）に記載の撮像装置。
（１１）
前記把持部が前記表示部の開閉に伴って前記第１の回動軸を中心に回動する
（１）乃至（１０）のいずれかに記載の撮像装置。
（１２）
前記把持部に前記表示部が着脱可能に結合され前記撮像素子の撮像信号を前記表示部に送信する接続端子が設けられた
（１１）に記載の撮像装置。
（１３）
前記表示部は送信部を有し、
前記筐体は受信部を有し、
前記送信部は前記表示部が前記把持部から取り外された状態において前記受信部に対して撮影に関する制御信号の発信が可能とされた
（１２）に記載の撮像装置。
（１４）
前記表示本体部はタッチパネル式のディスプレイを有した
（８）乃至（１３）のいずれかに記載の撮像装置。
（１５）
前記把持部の光軸方向の厚みが前記筐体の光軸方向の厚みよりも厚くされた
（１）乃至（１４）のいずれかに記載の撮像装置。
（１６）
前記筐体の前面にレンズ若しくはレンズマウント部が位置し、
前記把持部は前記前面側にのみ膨出して位置する
（１）乃至（１５）のいずれかに記載の撮像装置。
（１７）
前記把持部は前記第１の回動軸を中心とする円筒形状をなす
（１）乃至（１６）のいずれかに記載の撮像装置。
（１８）
筐体の内部に配置された撮像素子と、
撮影時に撮影者に把持される把持部と、
前記撮像素子で撮像した画像が表示される表示部とを備え、
光軸に略直交する第１の回動軸が前記把持部内に配置され、
前記表示部が前記第１の回動軸を中心に前記筐体に対して開閉自在に回動される
撮像装置。
【符号の説明】
【００７１】
１…撮像装置、１Ａ…撮像装置、２…装置本体、３…表示部、３Ａ…表示部、４…筐体、４ｄ…レンズマウント部、５…把持部、６…接続端子、７…ベース部、７Ａ…ベース部、８…表示本体部、８Ａ…表示本体部、１１…バッテリ、１２…送信部、１３…受信部、１４…撮像素子、１６…レンズ、１７…撮影釦、１９…収納部、１９ａ…収納凹部
【図１】
2015186084.tif 000003
【図２】
2015186084.tif 000004
【図３】
2015186084.tif 000005
【図４】
2015186084.tif 000006
【図５】
2015186084.tif 000007
【図６】
2015186084.tif 000008
【図７】
2015186084.tif 000009
【図８】
2015186084.tif 000010
【図９】
2015186084.tif 000011
【図１０】
2015186084.tif 000012
【図１１】
2015186084.tif 000013
【図１２】
2015186084.tif 000014
【図１３】
2015186084.tif 000015
【図１４】
2015186084.tif 000016
【図１５】
2015186084.tif 000017
【図１６】
2015186084.tif 000018
【図１７】
2015186084.tif 000019
【図１８】
2015186084.tif 000020
【図１９】
2015186084.tif 000021
【図２０】
2015186084.tif 000022
【図２１】
2015186084.tif 000023
【図２２】
2015186084.tif 000024